(57)【要約】【課題】画像形成装置に対する操作性を向上させ、そうすることによって、印刷等の画像形成処理の生産性を向上させる。【解決手段】認証プリント印刷を実行することができる画像形成装置であって、ジョブデータを受け取るための通信インターフェース部と、認証ユニットと、ジョブデータにかかるジョブが、原本作成をする印刷ジョブであるか、否か、判定するオリジナル・プリント判定部と、ジョブデータにかかるジョブを、認証プリント印刷として実行するか、を、オリジナル・プリント判定部の判定の結果に基づいて、決定する認証プリント設定部と、ユーザ認証の結果を出力するユーザ認証部と、ジョブを実行するジョブ実行部と、を有する画像形成装置。【選択図】図３
2009143085.tif 000002
【特許請求の範囲】
【請求項１】
所定の認証装置を用いたユーザ認証を行って当該ユーザ認証の結果に基づいて印刷出力処理の実行の開始を決定する印刷出力処理である、認証プリント印刷を実行することができる画像形成装置であって、
外部の端末装置と通信し、前記端末装置から、ジョブデータを受け取るための通信インターフェース部と、
前記所定の認証装置である認証ユニットと、
前記ジョブデータにかかるジョブが、原本作成をする印刷ジョブであるか、否か、判定するオリジナル・プリント判定部と、
前記ジョブデータにかかるジョブを、前記認証プリント印刷として実行するか、通常の印刷出力処理として実行するか、を、前記オリジナル・プリント判定部の判定の結果に基づいて、決定する認証プリント設定部と、
前記認証ユニットを用いたユーザ認証の結果を出力するユーザ認証部と、
前記ユーザ認証の結果に基づいて、前記ジョブデータにかかるジョブを実行するジョブ実行部と、を有する画像形成装置。
【請求項２】
前記オリジナル・プリント判定部は、前記ジョブデータに含まれるプリントモード情報に基づいて、前記ジョブデータにかかるジョブが、原本作成をする印刷ジョブであるか、否か、判定する、請求項１に記載の画像形成装置。
【請求項３】
前記プリントモード情報に、少なくとも、セキュリティ情報埋め込みの指示、および、証明情報付加の指示、のいずれかが含まれる場合には、
前記オリジナル・プリント判定部は、前記ジョブデータにかかるジョブが、原本作成をする印刷ジョブである、と判定する、請求項２に記載の画像形成装置。
【請求項４】
前記オリジナル・プリント判定部は、前記ジョブデータに含まれるファイル情報を用いて過去に実行したジョブに関するデータを検索し、当該検索の結果に基づいて、前記ジョブデータにかかるジョブが、原本作成をする印刷ジョブであるか、否か、判定する、請求項１に記載の画像形成装置。
【請求項５】
前記検索において前記ファイル情報と同一のファイル情報が見出されなかった場合には、前記オリジナル・プリント判定部は、当該ジョブが原本作成をする印刷ジョブである、と判定する、請求項４に記載の画像形成装置。
【請求項６】
所定の認証装置を用いたユーザ認証を行って当該ユーザ認証の結果に基づいて印刷出力処理の実行の開始を決定する印刷出力処理である、認証プリント印刷を実行することができる画像形成装置のコンピュータが実行する画像形成プログラムであって、
通信インターフェース部に、外部の端末装置と通信し、前記端末装置から、ジョブデータを受け取らせる機能と、
オリジナル・プリント判定部に、前記ジョブデータにかかるジョブが、原本作成をする印刷ジョブであるか、否か、判定させる機能と、
認証プリント設定部に、前記ジョブデータにかかるジョブを、前記認証プリント印刷として実行するか、通常の印刷出力処理として実行するか、を、前記オリジナル・プリント判定部の判定の結果に基づいて、決定させる機能と、
ユーザ認証部に、前記所定の認証装置である認証ユニットを用いたユーザ認証の結果を出力させる機能と、
ジョブ実行部に、前記ユーザ認証の結果に基づいて、前記ジョブデータにかかるジョブを実行させる機能と、を有する画像形成プログラム。
【発明の詳細な説明】
【技術分野】
【０００１】
本発明は、画像形成装置、および、画像形成装置において用いる画像形成プログラムに関し、特に、印刷出力処理の開始に際しユーザ認証を要求する画像形成装置、および、当該画像形成装置において使用する画像形成プログラムに関する。
【背景技術】
【０００２】
近年においては、画像形成装置は、ネットワークを介し、複数の情報処理装置（端末装置）と接続され、当該複数の情報処理装置を使用する複数のユーザによって共有される。ここで、画像形成装置とは、例えば、プリンタ、ファクシミリ、複写機、スキャナ等の機能を少なくとも２つ以上有するデジタル複合機（MultiFunction Peripheral (MFP)、 Scan Print Copy (SPC)、あるいは、All In One (AIO)）である。情報処理装置（端末装置）とは、例えば、パーソナル・コンピュータ（ＰＣ）である。画像形成装置、および、情報処理装置は、ローカル・エリア・ネットワーク（ＬＡＮ）、インターネット（Ｉｎｔｅｒｎｅｔ）といった通信網を介して相互に通信可能に接続され、画像形成システムを形成する。当該画像形成システムは、その最小限の構成においては、１台の画像形成装置と１台の情報処理装置とを１対１で接続することで形成可能である。しかし、近年においては、しばしば、複数の画像形成装置と複数の情報処理装置とが相互に接続された、大規模な画像形成システムが構築される。
【０００３】
上述の画像形成システムにおいてユーザが画像形成装置を用いて所望のドキュメントの印刷物を出力させようとする場合、ユーザは、情報処理装置を用いて、画像形成システム内に保存された当該ドキュメントのデータ・ファイルを指定し、当該ドキュメントの印刷出力を実行させる画像形成装置を、画像形成システム内の複数の画像形成装置から選択して指定し、最後に印刷出力の実行指示を、情報処理装置に対して入力する。
【０００４】
情報処理装置は、指定されたデータ・ファイル、および、印刷出力にかかる各種設定データ、を記述したジョブデータを、指定された画像形成装置に送る。ジョブデータを受け取った画像形成装置は、当該ジョブデータに基づいて、印刷を実行する。ドキュメント印刷物は、当該画像形成装置の排紙トレイから排出される。ユーザは、画像形成装置に赴き、排出されたドキュメント印刷物を回収する。
【０００５】
しかしながら、画像形成装置からドキュメント印刷物が排出される時点において、ユーザは、必ずしも、画像形成装置の近辺にいるとは限らない。むしろ、画像形成装置は、複数のユーザが共有するため、他のユーザが画像形成装置の近辺にいることも考えられる。そのため、画像形成システムにおいては、画像形成装置から排出されるドキュメント印刷物にかかる情報セキュリティの確保が課題とされる。
【０００６】
特許文献１は、印刷装置（プリンタ）を開示する。当該印刷装置は、例えば、ネットワークを介して接続された複数のホスト・コンピュータから印刷データを受け取り、受け取った印刷データに基づいて印刷を行う。ここで、プリンタに送られる印刷データは、パスワードを含むことができる。そこで、プリンタは、ホスト・コンピュータから印刷データを受け取ると、受け取った印刷データにパスワードが含まれるか否かを判定する。プリンタが、受け取ったデータにパスワードが含まれる、と判定した場合には、プリンタは、ユーザが当該プリンタのユーザ・インターフェースを介してパスワードを正しく入力したことを確認した後、初めて受け取った印刷データに基づいて印刷出力を実行する。
【０００７】
特許文献１が開示する印刷装置は、印刷データに付されたパスワードと、ユーザが入力するパスワードと、が一致すると、印刷を実行する。そうすることで、当該印刷装置は、印刷データが表す情報の情報セキュリティを確保する。
【０００８】
特許文献１が開示する技術は、印刷装置が、印刷出力の開始を定めるトリガとして、ユーザが入力するパスワード、即ちユーザ認証、を要求する技術であり、印刷装置が、個々の印刷出力処理について、印刷出力の開始を定めるトリガとしてのユーザ認証を実施するか、否かを、決定する技術ではない。
【０００９】
特許文献２は、外部装置から印刷指示を受けて印刷を実行する画像形成装置を開示する。受け取った印刷指示がセキュリティの確保を要求する場合、当該画像形成装置においては、該セキュリティの確保にかかる認証処理を行い、該認証処理が成功裡に完了して初めて、当該印刷指示にかかる印刷データを外部装置から取得する。
【００１０】
このようにして、特許文献２が開示する画像形成装置は、印刷データの保持に必要なメモリの容量を低く抑えつつ、印刷処理にかかる情報セキュリティを確保する。
【００１１】
このように、画像形成システムの情報セキュリティに関係する文献は、既に、多数発表されている。
【００１２】
上述の特許文献１が開示するような、印刷出力の実行の開始に際して画像形成装置に備えられた所定のユーザ認証手段を介してユーザ認証を行う画像形成装置は、既に広く知られるものである。特許文献１の技術が採用する技術的方法論は、画像形成装置が実際に印刷出力を実行するときに、ユーザを画像形成装置の近辺に確保するための有効な方法論であると言える。
【特許文献１】特開平６−１８３１１０号公報
【特許文献２】特開２００６−３３４８７３号公報
【発明の開示】
【発明が解決しようとする課題】
【００１３】
しかしながら、ユーザにとって、画像形成装置に実際に印刷出力の実行を開始させるために、画像形成装置に備えられた所定のユーザ認証手段に対してユーザ認証を行うことは、時に、煩わしい事柄である。特に、印刷出力される印刷物が、情報セキュリティを確保する必要性に乏しいような場合、上述のようなユーザ認証は、ユーザにとって煩わしい事柄である。
【００１４】
そのような事情から、画像形成装置を実際に運用するにあたり、通常は、上述のようなユーザ認証を必要とする印刷出力モードをオフ設定とし、機密性を要する印刷物を出力させる場合にのみ、ユーザが、上述のようなユーザ認証を必要とする印刷出力モードをオン設定に変更して、印刷出力させる、といった利用形態で運用されていることがある。
【００１５】
そのような利用形態においては、しばしば、ユーザは、ユーザ認証を必要とする印刷出力モードをオンに変更することを忘れ、印刷物の情報セキュリティが危ぶまれる事態を招くことになる。
【００１６】
上記問題点を鑑み、本発明は、印刷出力の実行を開始するために、画像形成装置に備えられた所定のユーザ認証手段を用いたユーザ認証を実施するか否か、を、画像形成装置が受け取る個々の印刷出力ジョブごとに、所与の条件に基づいて自動的に、かつ、適切に、決定する画像形成装置等を提供することを目的とする。本願発明は、印刷され排出されるドキュメント印刷物にかかる情報セキュリティを高いレベルで確保しつつ、なおかつ、ユーザの、画像形成装置に対する操作性を向上させ、そうすることによって、印刷等の画像形成処理の生産性を向上させる。
【課題を解決するための手段】
【００１７】
本発明は、その一態様においては、所定の認証装置を用いたユーザ認証を行って当該ユーザ認証の結果に基づいて印刷出力処理の実行の開始を決定する印刷出力処理である、認証プリント印刷を実行することができる画像形成装置であって、外部の端末装置と通信し、端末装置から、ジョブデータを受け取るための通信インターフェース部と、所定の認証装置である認証ユニットと、ジョブデータにかかるジョブが、原本作成をする印刷ジョブであるか、否か、判定するオリジナル・プリント判定部と、ジョブデータにかかるジョブを、認証プリント印刷として実行するか、通常の印刷出力処理として実行するか、を、オリジナル・プリント判定部の判定の結果に基づいて、決定する認証プリント設定部と、認証ユニットを用いたユーザ認証の結果を出力するユーザ認証部と、ユーザ認証の結果に基づいて、ジョブデータにかかるジョブを実行するジョブ実行部と、を有する画像形成装置である。
【００１８】
本発明の一態様においては、オリジナル・プリント判定部は、ジョブデータに含まれるプリントモード情報に基づいて、ジョブデータにかかるジョブが、原本作成をする印刷ジョブであるか、否か、判定することが好ましい。
【００１９】
本発明の一態様においては、プリントモード情報に、少なくとも、セキュリティ情報埋め込みの指示、および、証明情報付加の指示、のいずれかが含まれる場合には、オリジナル・プリント判定部は、ジョブデータにかかるジョブが、原本作成をする印刷ジョブである、と判定することが好ましい。
【００２０】
本発明の一態様においては、オリジナル・プリント判定部は、ジョブデータに含まれるファイル情報を用いて過去に実行したジョブに関するデータを検索し、当該検索の結果に基づいて、ジョブデータにかかるジョブが、原本作成をする印刷ジョブであるか、否か、判定することが好ましい。
【００２１】
本発明の一態様においては、検索においてファイル情報と同一のファイル情報が見出されなかった場合には、オリジナル・プリント判定部は、当該ジョブが原本作成をする印刷ジョブである、と判定することが好ましい。
【００２２】
本発明は、その別の一態様においては、所定の認証装置を用いたユーザ認証を行って当該ユーザ認証の結果に基づいて印刷出力処理の実行の開始を決定する印刷出力処理である、認証プリント印刷を実行することができる画像形成装置のコンピュータが実行する画像形成プログラムであって、通信インターフェース部に、外部の端末装置と通信し、端末装置から、ジョブデータを受け取らせる機能と、オリジナル・プリント判定部に、ジョブデータにかかるジョブが、原本作成をする印刷ジョブであるか、否か、判定させる機能と、認証プリント設定部に、ジョブデータにかかるジョブを、認証プリント印刷として実行するか、通常の印刷出力処理として実行するか、を、オリジナル・プリント判定部の判定の結果に基づいて、決定させる機能と、ユーザ認証部に、所定の認証装置である認証ユニットを用いたユーザ認証の結果を出力させる機能と、ジョブ実行部に、ユーザ認証の結果に基づいて、ジョブデータにかかるジョブを実行させる機能と、を有する画像形成プログラムである。
【発明の効果】
【００２３】
本発明は、情報処理装置から送られるジョブデータに基づいて印刷出力する画像形成装置において、印刷出力の実行を開始するに際し、画像形成装置に備えられた所定のユーザ認証手段を用いたユーザ認証を実施するか、否か、を、画像形成装置が受け取る個々のジョブごとに、所与の条件に基づいて自動的に適切に決定することができる画像形成装置、もしくは、画像形成プログラムを提供する。本発明を用いた画像形成処理においては、印刷出力の実行を開始するに際し、画像形成装置に備えられたユーザ認証手段を用いたユーザ認証は、情報セキュリティの確保の観点から不要と考えられる状況下では実施しないように、自動的に設定される。そのため、ユーザが、印刷出力処理の設定を誤った場合においても、画像形成装置が、印刷出力の実行を開始するに際し、ユーザに対しユーザ認証を要求するように、自動的に設定を変更する。そのため、本発明においては、印刷出力にかかる情報セキュリティは、十分に確保される。よって、本発明にかかる画像形成装置等は、印刷出力されるドキュメント印刷物の情報セキュリティを十分に確保し、なおかつ、ユーザの、画像形成装置等に対する操作性を向上させており、そうすることで、画像形成処理の生産性を向上させるという効果を奏する。
【発明を実施するための最良の形態】
【００２４】
本実施の形態は、画像形成装置、および、画像形成装置において実行される画像形成プログラムに関する。
【００２５】
本実施の形態にかかる画像形成装置は、後述する「認証プリント（認証＆プリント）」印刷出力処理を実行可能な画像形成装置である。さらに、本実施の形態にかかる画像形成装置は、実行するジョブ毎に、上記「認証プリント」印刷出力処理と、通常の印刷出力処理と、を適宜切り替えて印刷出力処理を実行可能な画像形成装置である。当該切り替えは、ジョブデータに含まれる情報に基づいて、画像形成装置が自動的に実行する。
【００２６】
端末装置は、上記ジョブデータを生成することができる。よって、上記切り替えは、端末装置において設定することもできる。その場合、画像形成装置は、端末装置が設定した上記切り替え設定をも参照し、自動的に、「認証プリント」印刷出力処理と、通常の印刷出力処理と、を切り替えて、印刷出力を実行することができる。
【００２７】
したがって、本実施の形態にかかる画像形成装置等においては、ユーザが、「認証プリント」印刷出力設定を「オン」にすることを忘れた場合であっても、画像形成装置等が、「認証プリント」印刷出力設定を実行することの要否について判定を行い、必要と判定した場合には、自動的に、当該印刷出力処理の「認証プリント」印刷出力設定をオンにしてから、当該印刷出力を実行する。
【００２８】
そのため、本実施の形態にかかる画像形成システムにおいては、ユーザが、画像形成装置等の操作性、生産性を優先し、通常は、「認証プリント」印刷出力の設定を「オフ」にして運用しているような場合にあっても、画像形成装置が、情報セキュリティの確保の観点から、「認証プリント」印刷出力処理として印刷出力を実行すべきと判定した場合には、当該印刷出力を自動的に「認証プリント」印刷出力に切り替えて実行する。したがって、本実施の形態の画像形成システムを用いた画像形成処理にあっては、画像形成処理の簡便性、生産性の確保と、情報セキュリティの確保が、高いレベルで両立される。
【００２９】
なお、本実施の形態においては、画像形成装置は、受け取ったジョブデータにかかる印刷ジョブが、原本作成（オリジナル・プリント）を行うジョブであるか、否か、判断し、当該ジョブはオリジナル・プリントである、と判断した場合には、「認証プリント」印刷出力の設定を、自動的に、「オン」に変更して、オリジナル・プリントを実行する。
【００３０】
ここで、「原本」（オリジナル）とは、印刷されたドキュメントとしては現実世界に１部のみ存在することが要請される印刷物を指す。
【００３１】
ユーザが、オリジナル・プリントを意図して画像形成を実行させたときに、その出力物を他のユーザが誤って持ち去ってしまうようなことがあると、ユーザは、再度、同一のドキュメントについて印刷出力を実行しなければならなくなる。そのような場合、オリジナル・プリントは、現実世界に２部以上存在することになる。そこで、本実施の形態にかかる画像形成装置は、ジョブがオリジナル・プリントであると判断した場合、当該ジョブを、自動的に、「認証プリント」印刷出力処理として処理する。そうすることで、本実施の形態の画像形成装置は、原本の意図しない散逸を防止する。
【００３２】
＜「認証プリント（認証＆プリント）」印刷出力処理について＞
具体的に本発明かかる実施の形態を説明するに先立ち、「認証プリント（認証＆プリント）」印刷出力処理について、簡単に説明する。「認証（＆）プリント」印刷とは、画像形成装置が印刷出力処理を伴うジョブを実行する場合において、画像形成装置が所定の認証手段を用いたユーザ認証を実施し、当該ユーザ認証が成功してはじめて、当該ジョブにかかる印刷出力を開始するような印刷出力形態を指す。つまり、認証プリント印刷出力においては、画像形成装置は、ジョブを受け付けても直ちに印刷出力を実行しない。代わりに、画像形成装置は、所定の認証手段を用いたユーザ認証が成功したことを確認するまでは印刷出力にかかるデータを保持し、ユーザ認証の成功を確認してから、当該印刷出力の実行を開始する。ここでは、ユーザ認証は、例えば、当該ジョブを投入したユーザにかかるユーザ認証である。なお、認証プリントは、タッチ＆プリントともいう。
【００３３】
これに対し、「通常の」印刷出力処理においては、画像形成装置は、ジョブを受け付けると、直ちに、当該ジョブにかかる印刷出力を実行する。認証プリント印刷出力処理は、所定の認証手段を用いたユーザ認証が成功するまでは印刷出力を開始しない、点において、通常の印刷出力処理と異なる。
【００３４】
これより、添付の図面を参照し、本発明の好適な実施の形態について説明する。
【００３５】
図１は、本発明にかかる実施の形態による画像形成システム１００ａの構成を示す概略図である。
【００３６】
画像形成システム１００ａは、画像形成装置として、複数のデジタル複合機（ＭＦＰ）１、３、５、および、端末装置として、複数のパーソナル・コンピュータ（ＰＣ）７、９、１１を有する。複数のＭＦＰ１、３、５、および、複数のＰＣ７、９、１１は、ネットワーク１７を介して、通信可能に接続される。ここで、ネットワーク１７は、例えば、ローカル・エリア・ネットワーク（ＬＡＮ）である。ネットワーク１７は、さらに、ＬＡＮの外部のネットワーク２１（例えば、インターネット（Ｉｎｔｅｒｎｅｔ））と接続されてもよい。また、ネットワーク２１に接続される、他の画像形成システム１００ｘが存在してもよい。
【００３７】
デジタル複合機１、３、５は、それぞれ、本実施の形態にかかる画像形成装置を構成する。デジタル複合機（ＭＦＰ）とは、印刷機能、コピー機能、スキャナ機能、ファクシミリ機能、メール送信機能、等、複数の機能を集約的に併せ持つ画像形成装置である。ただし、本実施の形態にかかる画像形成装置は、ネットワークを介して端末装置から送られるジョブデータを受信し、当該ジョブデータに基づいて、印刷出力処理を実行可能な画像形成装置であれば足りる。また、ＭＦＰ１、３、５は、それぞれ、認証プリント印刷出力処理においてユーザ認証を実施するための所定の認証手段として、認証ユニット１９を、自機に備えている。但、認証ユニット１９は、必ずしも、ＭＦＰ１、３、５本体に内蔵される必要はない。認証ユニット１９は、ＭＦＰ１、３、５それぞれに接続され、その近傍に配置されればよい。
【００３８】
パーソナル・コンピュータ７、９、１１は、それぞれ、端末装置（情報処理装置）を構成する。端末装置は、パーソナル・コンピュータといった、汎用性を有する情報処理装置である必要はない。画像形成装置に対して、ドキュメントの印刷出力を指示することができる装置であれば、本実施の形態にかかる端末装置として足りる。
【００３９】
画像形成システム１００ａは、加えて、複数のサーバ装置１３、１５を有することも可能である。
【００４０】
サーバ装置１３は、ＭＦＰ１、３、５用認証サーバである。認証サーバとは、クライアント（例えば、ＭＦＰ１、３、５）やＰＣ（７、９、１１）から送られるユーザ識別情報（例えば、ユーザＩＤ）と、ユーザ認証情報（例えば、パスワード、認証データ）と、を、自機が備えるユーザ情報およびユーザ認証情報と比較し、ユーザ認証の成功／失敗、を判定し、判定結果を、クライアントへ返信する機能を有するサーバである。
【００４１】
サーバ装置１５は、データサーバである。データサーバ１５は、ドキュメントのデータ・ファイルや、ＭＦＰ１、３、５に送信されるジョブのデータ（ジョブデータ）を保持し、外部からのリクエストに応じて、ドキュメントのデータ・ファイルや、ジョブデータを送信するサーバである。
【００４２】
ただし、上記サーバ１３、１５は、画像形成システム１００ａにとって必須の要素ではない。必要に応じて、画像形成システムを構成する任意のＭＦＰやＰＣが、上記サーバの有する機能を備えてもよい。
【００４３】
＜画像形成装置のハードウェア構成＞
図２は、ＭＦＰ１のハードウェア構成を示すブロック図である。
【００４４】
ＭＦＰ１は、中央処理装置（ＣＰＵ）３１、リード・オンリ・メモリ（ＲＯＭ）３３、ランダム・アクセス・メモリ（ＲＡＭ）３５、ハード・ディスク・ドライブ（ＨＤＤ）３７、不揮発性メモリ３９、タイマ部４１、プリンタ部４３、スキャナ部４５、通信インターフェース４７、ユーザ・インターフェース４９、認証ユニット１９、を有し、これらは、データバスを用いて互いに接続される。
【００４５】
ＣＰＵ３１は、ＲＯＭ３３、ＲＡＭ３５、あるいは、ＨＤＤ３７に保持される画像形成プログラム、あるいは、通信インターフェース４７を介して提供される画像形成プログラム、を実行し、ＲＯＭ３３、ＲＡＭ３５、あるいは、ＨＤＤ３７に保持されるデータを処理する。ＣＰＵ３１は、上記プログラムを実行することにより、ＭＦＰ１（画像形成装置）の制御部等を構成し、本実施の形態の画像形成装置の有する機能を実現する。上記画像形成プログラムは、予め画像形成装置にインストールされてよい。あるいは、画像形成プログラムは、フレキシブル・ディスク（ＦＤ）、光ディスク、といった記憶媒体、もしくは、インターネットといった通信手段を通じて画像形成装置へ提供されてもよい。
【００４６】
ＲＯＭ３３、ＲＡＭ３５、ＨＤＤ３７、不揮発性メモリ３９は、データ、および、プログラムを保持する記憶装置である。ＭＦＰ１は、これら記憶装置群を、適宜、適切に使い分け、保持する必要があるデータやプログラムを、保持する。
【００４７】
タイマ部４１は、計時機能を有し、上記制御部からの要求に応じ、現在の時刻を出力することができる。
【００４８】
プリンタ部４３は、ドキュメントのデータに基づく印刷出力を実行し、紙媒体等に印刷されたドキュメント印刷物を出力する。
【００４９】
スキャナ部４５は、紙媒体等に記録された情報を光電的に読み取り、当該情報の画像データを生成する。
【００５０】
通信インターフェース４７は、ＭＦＰ１と、外部の装置と、の間でデータの送受信を行うためのインターフェースである。
【００５１】
ユーザ・インターフェース４９は、ユーザとの情報の送受を行う操作部である。ユーザ・インターフェース４９は、ユーザに情報を提示する表示部と、ユーザから情報を受け取る入力部と、を有する。また、液晶タッチパネルを用いて表示部と入力部とを一体的に構成し、ユーザ・インターフェース４９としてもよい。ユーザ・インターフェース４９は、認証プリント印刷出力処理のための所定の認証手段として、用いられてもよい。ユーザは、ユーザ・インターフェース４９を用いて、ユーザ認証に必要な情報を入力することができる。
【００５２】
認証ユニット１９は、認証プリント印刷出力処理において、印刷出力の実行を開始させるためのユーザ認証で用いる情報入力装置である。認証ユニット１９は、例えば、生体認証ユニットである。また、認証ユニット１９は、例えば、ユーザが所持するＩＣカードに記録された情報を読み取るＩＣカード・リーダである。ユーザ認証を、ユーザが入力するパスワードを用いて実行する場合にあっては、認証ユニット１９は不要である。この場合、ユーザ認証は、ユーザがユーザ・インターフェース４９を用いてパスワード等を入力することにより実行される。
【００５３】
＜画像形成装置の機能的構成＞
図３は、ＭＦＰ１の構成を、機能ブロックを用いて表したブロック図である。但、ＭＦＰ１が有する機能であっても、本実施の形態と関係しない機能については、図示を省略する。
【００５４】
ＭＦＰ１は、制御部５１を有する。制御部５１は、先述のように、ＣＰＵ３１（図２）が、本実施の形態にかかる画像形成プログラムを実行することによって、実現される。制御部５１は、ＭＦＰ１の各ブロックと、データの送受信が可能なように接続され、各ブロックの状態を把握し、適宜、各ブロックの動作を制御する。
【００５５】
通信インターフェース４７は、ネットワーク１７を介してジョブデータを受け取る。当該ジョブデータは、例えば、印刷ジョブデータの場合、さまざまな設定等に関するデータを含むドキュメント情報データ、および、ドキュメントデータ（画像データ）を、含んでいる。当該ジョブデータは、オリジナル・プリント判定部６５へ送られる。
【００５６】
図４を参照し、ＭＦＰ１が受け取るジョブデータ８１のデータ構成について説明する。ジョブデータ８１は、ドキュメント情報データ８３、および、ドキュメントデータ８５を有する。
【００５７】
ドキュメント情報データ８３は、
ＭＦＰ１が当該ジョブデータ８１を受け取った日時を示すジョブ登録日時データ８７、
ジョブデータ８１に含まれるデータ・ファイルの情報であるファイル情報データ８９、
ジョブデータ８１にかかる印刷ジョブの各種設定を保持するプリントモード情報データ９１を含む。
【００５８】
ファイル情報データ８９は、ファイル名称、ファイル種類、ファイル作成者、ファイル最終保存者、ファイル作成日時、ファイル更新日時、ファイル最終保存日時、ファイル容量、ファイルレビジョン情報、等を含めることができる。
【００５９】
プリントモード情報データ９１は、両面印刷のオン／オフ、ステープル処理のオン／オフ、セキュリティ地紋パターン（セキュリティ情報）の埋め込みのオン／オフ９３、証明情報の付加のオン／オフ９５、等を含む。
【００６０】
セキュリティ地紋パターンの埋め込み９３は、ドキュメントの印刷物がオリジナル・プリントであるか、オリジナル・プリントからコピーされたものであるか、を人が視認できるようにするために、印刷物に背景パターンを埋め込む処理をするか、否かを定めるパラメータである。ここで、埋め込まれるセキュリティ情報の形態は、地紋パターンに限定されない。埋め込まれるセキュリティ情報の形態は、上記目的を達成可能であれば、どのような形態であってもよい。
【００６１】
証明情報の付加のオン／オフ９５は、ハッシュ値の付与のオン／オフ９７、デジタルスタンプの付与のオン／オフ９９、等を含む。
【００６２】
ハッシュ値の付与のオン／オフ９７は、ドキュメントの印刷物の画像としての特性値を、ドキュメントの印刷物に埋め込む処理をするか、否かを定めるパラメータである。ハッシュ値を付与することで、後のドキュメント印刷物の意図しない改竄を検知することが可能である。
【００６３】
デジタルスタンプの付与のオン／オフ９９は、ドキュメントの印刷にかかる特性値を、ドキュメントの印刷物に埋め込む処理をするか、否かを定めるパラメータである。デジタルスタンプは、例えば、ドキュメントの印刷に関する時間情報を示すデータである。デジタルスタンプを付与することで、ドキュメント印刷物の意図しない改竄や、コピー物を検知することが可能である。
【００６４】
ドキュメントデータ８５は、印刷ジョブに用いられる画像のデータである。
【００６５】
図３に戻り、オリジナル・プリント判定部６５は、受け取ったジョブデータ８１のドキュメント情報８３を参照し、当該ジョブデータ８１にかかる印刷ジョブが原本作成（オリジナル・プリント）であるか、否か、を判定する。
【００６６】
オリジナル・プリント判定部６５は、ジョブ履歴参照部６７、および、プリントモード抽出部６９を備える。オリジナル・プリント判定部６５は、少なくとも、ジョブ履歴参照部６７、および、プリントモード抽出部６９のいずれか一方が出力する情報に基づいて、当該ジョブデータ８１にかかる印刷ジョブが原本作成（オリジナル・プリント）であるか否かを判定する。
【００６７】
ジョブ履歴参照部６７は、当該ジョブデータ８１のファイル情報５９に基づいて、ジョブ履歴データベース５３に問い合わせを行う。
【００６８】
ジョブ履歴データベース５３は、ＭＦＰ１においてこれまでに実行されたジョブに関する情報を蓄積するデータベースである。ジョブ履歴データベース５３は、当該ファイル情報５９を検索のキーとして、当該ジョブデータ８１にかかるファイル情報（印刷されるドキュメント）と一致、あるいは、類似するファイル情報を有するジョブを検索し、検索の結果をジョブ履歴参照部６７へ返す。ここで、類似するファイル情報とは、ファイル情報の少なくとも１項目は、当該ジョブデータ８１にかかるファイル情報の該当項目と完全に一致するが、その余の項目において、当該ジョブデータ８１にかかるファイル情報の同じ項目の内容と一致しないファイル情報を指す。例えば、ファイル名称、ファイル種類、等は、当該ジョブデータ８１にかかるファイル情報のそれと一致するが、ファイルレビジョン情報の項目の内容が一致しないような、ファイル情報は、類似するファイル情報として検索結果に挙げられる。例えば、ファイルレビジョン情報の項目のみが一致しないファイル情報を有する２つのドキュメントは、同一のドキュメントのバージョン違いの関係にある、と言える。
【００６９】
なお、ジョブ履歴データベース５３は、ＭＦＰ１本体内に備えなくともよい。その場合、オリジナル・プリント判定部６５は、画像形成システム１００ａのデータサーバ１５に対し、同様の問い合わせを行えばよい。この場合、データサーバ１５は、ＭＦＰ１、３、５が実行した過去のジョブについての情報を蓄積することができるため、ＭＦＰ１のオリジナル・プリント判定部６５は、画像形成システム１００ａに含まれる別の画像形成装置が実行した過去のジョブに関する情報をも用いて、オリジナル・プリントの判定を実行することができ、判定の精度が向上する、という効果を奏する。また、ネットワーク２１（インターネット）を介し、ジョブ履歴データベース５３は、他の画像形成システム１００ｘのデータサーバ１３ｘに対し、同様の問い合わせを行ってもよい。この場合、ＭＦＰ１のオリジナル・プリント判定部６５は、画像形成システム１００ａのみならず、別の画像形成システム１００ｘに含まれる画像形成装置が実行した過去のジョブに関する情報をも用いて、オリジナル・プリントの判定を実行することができ、判定の精度が飛躍的に向上する、という効果を奏する。
【００７０】
また、ジョブ履歴参照部６７は、必要に応じてタイマ部５５に対し、現在時刻についての問い合わせを行う。タイマ部５５は、ジョブ履歴参照部６７からの問い合わせに応じ、ジョブ履歴参照部６７へ、現在時刻に関するデータを返す。
【００７１】
プリントモード抽出部６９は、当該ジョブデータ８１のプリントモード情報９１から、当該ジョブデータ８１にかかる印刷ジョブが原本作成（オリジナル・プリント）であるか、否かを判定するのに用いる情報を抽出する。プリントモード抽出部６９は、セキュリティ地紋パターンの埋め込みのオン／オフに関する情報９３や、証明情報の付加に関する情報９５を抽出する。セキュリティ地紋パターンの埋め込みを実行（オン設定）するジョブは、印刷物のコピーを防止しようとする、ユーザの意図が窺えるため、当該ジョブデータ８１にかかる印刷ジョブは、原本作成（オリジナル・プリント）であると判定する材料となり得る。また、証明情報の付与を実行（オン設定）するジョブは、印刷物の意図しない改竄を防止しようとする、ユーザの意図が窺えるため、当該ジョブデータ８１にかかる印刷ジョブは、原本作成（オリジナル・プリント）であると判定する材料となり得る。
【００７２】
オリジナル・プリント判定部６５は、少なくとも、ジョブ履歴参照部６７が取得するジョブ履歴データベース５３検索結果、および、プリントモード抽出部６９が抽出するプリントモード情報９１、のいずれか、に基づいて、当該ジョブデータ８１にかかる印刷ジョブが、原本作成（オリジナル・プリント）であるか、否か、判定する。
【００７３】
なお、オリジナル・プリント判定部６５は、原則として、ジョブ履歴参照部６７が取得した検索結果から、ジョブ履歴データベース５３に同一のファイル情報を有する過去のジョブの存在を認識した場合、当該ジョブデータ８１にかかる印刷ジョブを、非オリジナル・プリントと判定する。しかしながら、当該同一のファイル情報を有する過去のジョブの実行時刻と、タイマ部５５から取得した現在時刻との時間差が、所定の値以上（例えば、６ヶ月以上）である場合、オリジナル・プリント判定部６５は、当該ジョブデータ８１にかかる印刷ジョブを、オリジナル・プリントと判定してもよい。
【００７４】
加えて、または、或いは、オリジナル・プリント判定部６５は、原則として、ジョブ履歴参照部６７が取得した検索結果から、ジョブ履歴データベース５３に類似のファイル情報を有する過去のジョブの存在を認識した場合、当該ジョブデータ８１にかかる印刷ジョブを、非オリジナル・プリントと判定する。しかしながら、オリジナル・プリント判定部６５は、当該ジョブデータ８１にかかる印刷ジョブが、当該類似の過去のジョブにかかるドキュメントに幾ばくかの変更を加えた後での、再度の、原本作成を行うためのものであると判断し、当該ジョブデータ８１にかかる印刷ジョブを、オリジナル・プリントと判定してもよい。
【００７５】
認証プリント設定部５９は、オリジナル・プリント判定部６５が、当該ジョブデータ８１にかかる印刷ジョブが原本作成（オリジナル・プリント）である、と判定した場合に、当該ジョブデータ８１にかかる印刷ジョブの認証プリント設定を、オン設定にする。
【００７６】
ジョブデータ保持部５７は、認証プリント設定（認証プリント印刷出力処理設定）が、「オン（ＯＮ）」に設定された印刷出力ジョブにかかるジョブデータを、ユーザ認証が成功裡に完了されるまで、一時的に保持する。ジョブデータ保持部５７は、認証プリント設定部５９からジョブデータを受け取り、一時的に保持し、ジョブ実行部６３へ送る。
【００７７】
ジョブ実行部６３は、受け取ったジョブデータに基づき、ジョブを実行する。ただし、認証プリント設定が「ＯＮ」に設定されたジョブについては、ユーザ認証部６１が出力するユーザ認証の判定結果が「成功」である場合に、当該ユーザ認証にかかるユーザのジョブ（例えば、印刷出力）を開始する。
【００７８】
ユーザ認証部６１は、ジョブデータの認証プリント設定が「ＯＮ」に設定されている場合に、認証ユニット１９、ユーザ・インターフェース４９等を用いてユーザ認証を実施し、当該ユーザ認証の判定結果を出力する。当該認証は、認証ユニット１９等から入力された情報を、認証サーバ１３（図１）へ送信して認証サーバ１３に認証を依頼し、認証の結果を認証サーバ１３から受け取るようにして、実施すればよい。あるいは、ＭＦＰ１内部においてユーザ認証に必要な情報を予め備えておき、ＭＦＰ１のみで、ユーザ認証を完了してもよい。
【００７９】
＜画像形成処理フロー＞
これより、ユーザが、本実施の形態にかかる画像形成処理のフローを説明する。
【００８０】
先ず、ジョブデータは、端末装置から画像形成装置（ＭＦＰ１）に送信される。
【００８１】
図５は、ジョブデータを受け取ったＭＦＰ１が行う処理の流れを示すフローチャートである。図６は、図５のステップＳ１０５の詳細を示すフローチャートである。
【００８２】
なお、図５（および図６）にかかるフローは、オリジナル・プリント判定部６５が、プリントモード抽出部６９の抽出するプリントモード情報９１に基づいて、オリジナル・プリントの判定を行う場合の処理フローである。
【００８３】
ステップＳ１０１において、ＭＦＰ１の通信インターフェース４７は、ジョブデータを受け取る。受け取ったジョブデータは、オリジナル・プリント判定部６５へ送られる。
【００８４】
ステップＳ１０３において、オリジナル・プリント判定部６５のプリントモード抽出部６９は、当該ジョブデータに含まれるプリントモード情報（図４参照。）を抽出する。
【００８５】
ステップＳ１０５において、オリジナル・プリント判定部６５は、オリジナル・プリント判定を実行する。
【００８６】
図６は、図５のステップＳ１０５の詳細を示すフローチャートである。ステップＳ１０５ａにおいて、オリジナル・プリント判定部６５は、抽出されたプリントモード情報９１のセキュリティ地紋パターンの埋め込みの設定（図４参照。）がオン設定であるか、否か、判定する。セキュリティ地紋パターンの埋め込みの設定がオン設定である場合（ステップＳ１０５ａにおける「ＹＥＳ」）、処理は、ステップＳ１０５ｂへ進む。セキュリティ地紋パターンの埋め込みの設定がオフ設定である場合（ステップＳ１０５ａにおける「ＮＯ」）、処理は、ステップＳ１０５ｃへ進む。
【００８７】
なお、図６においては、例示的に、セキュリティ地紋パターンの埋め込みの設定を判定材料に用いているが、先述のとおり、証明情報の付与の設定（図４参照。）を判定材料に用いてステップＳ１０５ａを実行してもよい。また、セキュリティ地紋パターンの埋め込みの設定、および、証明情報の付与の設定、の両方を用いてステップＳ１０５ａを実行してもよい。その場合、例えば、上記２つの設定のいずれか一方がオン設定であれば、判定の結果を「ＹＥＳ」とする、等としてよい。
【００８８】
ステップＳ１０５ｂにおいて、認証プリント設定部５９は、当該ジョブデータにかかるオリジナル・プリント判定の結果を「ＹＥＳ」とする。（オリジナル・プリント判定フラグを「Ｔｒｕｅ」とする。）加えて、同時に、認証プリント設定を、オン設定に（認証プリント設定フラグを「Ｔｒｕｅ」に設定）してもよい。
【００８９】
ステップＳ１０５ｃにおいて、認証プリント設定部５９は、当該ジョブデータにかかるオリジナル・プリント判定の結果を「ＮＯ」とする。（オリジナル・プリント判定フラグを「Ｆａｌｓｅ」とする。）加えて、同時に、認証プリント設定を、オフ設定に（認証プリント設定フラグを「Ｆａｌｓｅ」に設定）してもよい。
【００９０】
図５に戻り、ステップＳ１０７において、ＭＦＰ１は、当該ジョブデータにかかる認証プリント設定が、オン設定であるか、否か、判定する。当該認証プリント設定が、オン設定である場合（ステップＳ１０７における「ＹＥＳ」）、処理は、ステップＳ１０９へ進む。当該認証プリント設定が、オフ設定である場合（ステップＳ１０７における「ＮＯ」）、処理は、ステップＳ１１０へ進む。
【００９１】
ステップＳ１１０において、ＭＦＰ１のジョブ実行部５７は、ステップＳ１０５のオリジナル・プリント判定の結果（オリジナルプリント判定フラグ）に基づいて、当該ジョブデータにかかるジョブが、オリジナルプリントジョブであるか、否か、判定する。オリジナル・プリント判定の結果が「ＹＥＳ」（オリジナル・プリント判定フラグが「Ｔｒｕｅ」）の場合（ステップＳ１１０における「ＹＥＳ」）、処理は、ステップＳ１０９へ進む。オリジナル・プリント判定の結果が「ＮＯ」（オリジナル・プリント判定フラグが「Ｆａｌｓｅ」）の場合（ステップＳ１１０における「ＮＯ」）、処理は、ステップＳ１１１へ進む。
【００９２】
ステップＳ１０９において、ＭＦＰ１のジョブ実行部５７は、当該ジョブデータを、認証プリント印刷出力処理として実行する。ステップＳ１０９においては、認証プリント設定がオン設定であるジョブ、および、オリジナルプリントジョブであると判定されたジョブが、認証プリント設定をオン設定として、実行される。
【００９３】
ステップＳ１１１において、ＭＦＰ１のジョブ実行部５７は、当該ジョブデータを、認証プリント印刷出力処理でない印刷出力処理として実行する。このように、オリジナルプリントジョブでないと判定されたジョブについては、認証プリントとしてではなく、通常の印刷ジョブとして、実行される。
【００９４】
次に、図７および図８を参照し、オリジナル・プリント判定部６５が、ジョブ履歴参照部６７のした検索の結果に基づいて、オリジナル・プリントの判定を行う場合の処理フローである。
【００９５】
図７は、ＭＦＰ１のジョブ履歴データベース５３のデータ構成を示す模式図である。ジョブ履歴データベース５３は、過去に実行したジョブの情報（ジョブ履歴）を蓄積する。過去のジョブの情報１０１は、ジョブ毎に、固有のジョブＩＤで管理される。そして、過去ジョブ情報１０１は、当該ジョブにかかるドキュメント情報８３（図４参照。）、ドキュメント識別情報１０３、認証プリント設定フラグ１０５、等を含むことができる。
【００９６】
ドキュメント識別情報１０３は、例えば、当該ジョブで用いた画像データ１０３ａ（ドキュメントデータ）や、当該ジョブで用いた画像データのハッシュ値１０３ｂ、等を含むことができる。
【００９７】
なお、外部のデータサーバ１５を利用して、ジョブ履歴データベースを構成する場合、ＭＦＰ１は、データサーバ１５が各ドキュメントに付与するドキュメント管理番号を、保持するだけでもよい。このような場合には、新たに受け取るジョブデータにかかるジョブに含まれるドキュメントのデータにも、データサーバ１５がドキュメント管理番号を付与するため、ＭＦＰ１は、新たに受け取ったドキュメント管理番号がデータサーバ１５のジョブ履歴データベースに存在するか、否か、問い合わせればよい。また、ドキュメント管理番号が、無くとも、「ファイル名」、「ファイル作成者」、「ファイル最終保存者」、「ファイル作成日時」、「ファイル更新日時」、「ファイル容量」、等、ファイル情報８９の少なくとも１項目以上を、検索のキーとして、データサーバ１５のジョブ履歴データベースに問い合わせればよい。
【００９８】
図８は、ＭＦＰ１の処理のフローチャートである。
【００９９】
図５に示したフローチャートと同様の工程については、同一の参照数字を付し、説明を省略する。
【０１００】
ステップＳ２０３において、オリジナル・プリント判定部６５のジョブ履歴参照部６７は、ジョブ履歴データベース５３を用いて、ステップＳ１０１において受け取ったジョブデータに含まれるドキュメントと同一のドキュメントを含むジョブを検索する。本ステップにおいては、先述のように、類似のドキュメントを含むジョブも含めて検索してもよい。
【０１０１】
ステップＳ２０５において、オリジナル・プリント判定部６５は、ジョブ履歴参照部６７がした検索の結果に、当該ジョブデータに含まれるドキュメントと同一のドキュメントを含んだジョブが挙げられているか、否か、判定する。同一のドキュメントを含んだジョブが挙げられている場合（ステップＳ２０５における「ＹＥＳ」）、処理は、ステップＳ１１１へ進む。同一のドキュメントを含んだジョブが挙げられてない場合（ステップＳ２０５における「ＮＯ」）、処理は、ステップＳ１０９へ進む。
【０１０２】
ステップＳ１０９、ステップＳ１１１における処理は、上述の通りである。ここでは、説明を省略する。
【０１０３】
ステップＳ２１３において、ＭＦＰ１は、ステップＳ１０１において受け取ったジョブデータにかかるジョブに関する情報を、ジョブ履歴データベース５３に記録し、処理を終了する。
【０１０４】
なお、本実施の形態にかかるオリジナル・プリント判定部６５は、抽出したプリントモード情報、および、検索された過去のジョブの情報の両方に基づいて、オリジナル・プリント判定を実行してよい。その場合、例えば、上記２つの情報のいずれか一方がオン設定であれば、判定の結果を「ＹＥＳ」とする（「認証プリント印刷する。」）、等としてよい。
【０１０５】
このように、本実施の形態においては、画像形成装置が、その端末装置において設定された認証プリント設定に依らずに、認証プリント設定のＯＮ／ＯＦＦを、自動的に、かつ、強制的に、決定し、印刷出力処理を実行する。本実施の形態においては、画像形成装置は、ジョブを、原本作成（オリジナル・プリント）印刷ジョブであるか、否か、１つまたは複数のパラメータ群に基づいて、判断し、認証プリント印刷の設定を自動的に適切に設定する。本実施の形態による画像形成装置は、情報セキュリティの確保と、画像形成装置の生産性の向上および操作性の改善、という課題を高いレベルにおいて、解決することに成功している。
【産業上の利用可能性】
【０１０６】
本発明にかかる画像形成装置は、優れた生産性および操作性と、確かな情報セキュリティの確保と、を高いレベルで両立する画像形成装置である。
【図面の簡単な説明】
【０１０７】
【図１】本発明の実施の形態による画像形成システムの構成図
【図２】本発明の実施の形態による画像形成装置のハードウェア構成図
【図３】画像形成装置の機能的構成のブロック図
【図４】印刷ジョブデータの構成を示す概略図
【図５】画像形成装置における処理のフローチャート
【図６】オリジナル・プリント判定処理のフローチャート
【図７】ジョブ履歴データベースに保持されるデータの構成概略図
【図８】画像形成装置における処理のフローチャート
【符号の説明】
【０１０８】
１  ・・・  画像形成装置
３  ・・・  画像形成装置
５  ・・・  画像形成装置
７  ・・・  端末装置
９  ・・・  端末装置
１１  ・・・  端末装置
１３  ・・・  文書管理サーバ
１３ｘ・・・  文書管理サーバ
１５  ・・・  認証サーバ
１７  ・・・  ネットワーク（ローカル・エリア・ネットワーク）
１９  ・・・  認証ユニット
２１  ・・・  ネットワーク（インターネット）
３１  ・・・  ＣＰＵ
３３  ・・・  ＲＯＭ
３５  ・・・  ＲＡＭ
３７  ・・・  ＨＤＤ
３９  ・・・  不揮発性メモリ
４１  ・・・  タイマ部
４３  ・・・  プリンタ部
４５  ・・・  スキャナ部
４７  ・・・  通信インターフェース
４９  ・・・  ユーザ・インターフェース
５１  ・・・  制御部
５３  ・・・  ジョブ履歴データベース
５５  ・・・  タイマ部
５７  ・・・  ジョブデータ保持部
５９  ・・・  認証プリント設定部
６１  ・・・  ユーザ認証部
６３  ・・・  ジョブ実行部
６５  ・・・  オリジナル・プリント判定部
６７  ・・・  ジョブ履歴参照部
６９  ・・・  プリントモード抽出部
８１  ・・・  印刷ジョブデータ
８３  ・・・  ドキュメント情報データ
８５  ・・・  ドキュメントデータ
８７  ・・・  ジョブ登録日時データ
８９  ・・・  ファイル情報データ
９１  ・・・  プリントモード情報データ
９３  ・・・  セキュリティ地紋パターン埋め込み設定パラメータ
９５  ・・・  照明情報付加設定パラメータ
９７  ・・・  ハッシュ値付与設定パラメータ
９９  ・・・  デジタルスタンプ付与設定パラメータ
１００ａ・・・  画像形成システム
１００ｘ・・・  画像形成システム
１０１  ・・・  ジョブ履歴データ
１０３  ・・・  ドキュメント識別情報データ
１０５  ・・・  認証プリント設定パラメータ
【図１】
2009143085.tif 000003
【図２】
2009143085.tif 000004
【図３】
2009143085.tif 000005
【図４】
2009143085.tif 000006
【図５】
2009143085.tif 000007
【図６】
2009143085.tif 000008
【図７】
2009143085.tif 000009
【図８】
2009143085.tif 000010